(57)【要約】  本発明は、  外側表面と内側表面とを有し、前記内側表面が使用者の外肢を受け入れるための空洞を画定する物品と、  前記物品を囲む包装と、  前記包装と前記物品の前記空洞との両方を閉鎖する継ぎ目であって、前記継ぎ目の開口部が前記包装と前記物品の前記空洞との両方を開放する継ぎ目とを含む、包装された物品に関する。
2005511443.tif 000002
【特許請求の範囲】
【請求項１】
包装された物品であって、
外側表面と内側表面とを有し、前記内側表面が使用者の外肢を受け入れるための空洞（６）を画定する物品（３）と、
前記物品を囲む包装（１）と、
前記包装（１）と前記物品の前記空洞（６）との両方を閉鎖する継ぎ目（５）であって、前記継ぎ目（５）の開口部が前記包装（１）と前記物品の前記空洞（６）との両方を開放する継ぎ目（５）と
を含む包装された物品。
【請求項２】
前記物品（３）が、前記継ぎ目を開放した後も前記塗布具が前記包装に固定されたままになるように、少なくとも１つの位置（１２）において前記包装（１）に固定されている、請求項１に記載の包装された物品。
【請求項３】
前記継ぎ目（５）が、前記包装された物品から引き裂くことができる引き裂き式継ぎ目であり、前記継ぎ目の引き裂きが、前記物品（３）の一部分と前記包装（１）の一部分とを引き裂いて離し、前記空洞（６）と前記包装（１）とを開放する、請求項１または２に記載の包装された物品。
【請求項４】
前記物品（３）が少なくとも１枚の不浸透性層（８）と少なくとも１枚の吸収性層（７）とを含み、前記不浸透性層が、前記空洞（６）が前記吸収性層から隔離されるように前記吸収性層の内側に配置されている、請求項１に記載の包装された物品。
【請求項５】
前記物品（３）が製品塗布具であり、製品が前記吸収性層（７）によって保持されている、請求項４に記載の包装された物品。
【請求項６】
前記物品が前記空洞の中に指または手を受け入れるように構成されている、請求項５に記載の包装された物品。
【請求項７】
前記製品が、磨き用製品、掃除用製品、液体からペースト状までの化粧品、例えば化粧用ファンデーション、日焼け用品、毛髪用品、染料、メーキャップ製品である、請求項５に記載の包装された物品。
【請求項８】
前記物品（３）の酸素への露出に応じて熱を発生するための手段をさらに含む、請求項１から７までのいずれか一項に記載の包装された物品。
【請求項９】
前記吸収性層（７）が吸収性の発泡材料を含む、請求項５に記載の包装された物品。
【請求項１０】
前記吸収性層（７）が不織布を含む、請求項５に記載の包装された物品。
【請求項１１】
前記物品（３）が第１層、第２不浸透性層、および第３層を含み、前記第１層と第３層が織物と発泡材料とのいずれか１つから形成された、請求項１に記載の包装された物品。
【請求項１２】
前記物品（３）が、熱を発生する前記材料を前記空洞（６）から隔離するために、不浸透性層を含む、請求項８に記載の包装された物品。
【請求項１３】
前記物品（３）が、少なくとも第１層（７）と第２層（８）とを含み、前記第１層は発泡材料と織物の１つを含み、前記第２層は不浸透性層であり、前記第２層は前記第１層の少なくとも一部分を前記空洞から隔離する、請求項１に記載の包装された物品。
【請求項１４】
前記物品（３）が、前記空洞（６）内に外肢を挿入することに応じて使用者の皮膚に近接する第３層をさらに含み、第２層（８）は前記第１層（７）と前記第３層との間に配置されている、請求項１３に記載の包装された物品。
【請求項１５】
前記包装（１）が前記複数の層を含み、前記層の少なくとも１枚が不透明である、請求項１３に記載の包装された物品。
【請求項１６】
前記包装（１）の前記複数の層が樹脂を含む第１層を含む、請求項１５に記載の包装された物品。
【請求項１７】
前記包装（１）の前記複数の層が、例えばアルミニウムからなる金属箔および金属薄膜をさらに含む、請求項１６に記載の包装された物品。
【請求項１８】
前記包装（１）が透明な層を含む、請求項１３に記載の包装された物品。
【請求項１９】
前記包装（１）が紫外線に耐性のある透明な層を含む、請求項１３に記載の包装された物品。
【請求項２０】
乾燥形式で存在し、使用のために水に溶解する製品（２）をさらに含む、請求項１に記載の包装された物品。
【請求項２１】
前記製品（２）が界面活性剤を含む、請求項２０に記載の包装された物品。
【請求項２２】
前記物品（３）が不織布を含む、請求項２１に記載の包装された物品。
【請求項２３】
使用のために水で希釈される濃縮された形で前記包装（１）の中に配置された製品（２）をさらに含む、請求項１に記載の包装された物品。
【請求項２４】
物品（３）が塗布具であり、包装（１）は、囲まれた領域（９）が前記包装（１）の内側表面と前記塗布具（３）の前記外側表面との間に画定され、さらに、前記包装（１）を開放する前に、前記塗布具（３）の前記空洞（６）が前記の囲まれた領域（９）から隔離され、製品（２）は前記包装の前記の囲まれた領域（９）と前記塗布具（３）の前記囲まれた領域の一方に配置されている、請求項１から２３までのいずれか一項に記載の包装された塗布具。
【請求項２５】
前記塗布具（３）の前記内側表面が前記塗布具の前記外側表面から隔離されるように不浸透性層を含む、請求項２４に記載の包装された塗布具。
【請求項２６】
前記製品（２）が化粧用品、特に液体からペースト状の形である、請求項２５に記載の包装された塗布具。
【請求項２７】
前記製品（２）が織物層、特に不織布をさらに含み前記塗布具の外側表面を形成する、請求項２６に記載の包装された塗布具。
【請求項２８】
前記製品（２）が液体製品であり、前記製品が前記の囲まれた領域（９）の中に置かれている、請求項２６に記載の包装された塗布具。
【請求項２９】
少なくとも２枚の層（７、８）を含み、前記２枚の層は織物層、特に不織布と不浸透性層とを含む、請求項２４に記載の包装された塗布具。
【請求項３０】
前記継ぎ目（５）は前記塗布具（３）の前記空洞（６）と前記包装（１）の前記の囲まれた領域（９）との両方を閉鎖し、したがって前記継ぎ目（５）の開放は前記包装を開放し、前記空洞を開放し、こうして使用者は前記空洞の内部に外肢を挿入することができる、請求項２９に記載の包装された塗布具。
【請求項３１】
前記継ぎ目を開放した後に前記塗布具（３）が前記包装（１）に固定されたままになるように、前記塗布具（３）が少なくとも１つの位置（１２）において前記包装（１）に固定されている、請求項３０に記載の包装された塗布具。
【請求項３２】
前記継ぎ目（５）が、前記の包装された塗布具から引き裂かれることができる引き裂き継ぎ目であり、前記継ぎ目の引き裂きが前記塗布具（３）の一部分と前記包装の一部分とを引き裂いて離す、請求項３０または３１に記載の包装された塗布具。
【請求項３３】
前記製品が乾燥状態および使用のために水の中で溶解される、請求項２４に記載の包装された塗布具。
【請求項３４】
前記製品（２）が界面活性剤を含む、請求項３３に記載の包装された塗布具。
【請求項３５】
前記製品（２）が、使用のために水の中で溶解される濃縮された形で前記包装の中に置かれている、請求項２４に記載の包装された塗布具。
【請求項３６】
包装された物品を形成するための方法であって、
使用者の外肢を受け入れるための空洞（６）を有する物品（３）を形成するステップと、
前記物品（３）を部分的に形成された包装（１）の中に挿入するステップと、
前記包装の端部を密封して、前記包装のための継ぎ目（５）を形成し、また前記物品の前記空洞を閉鎖するステップと
を含む方法。
【請求項３７】
前記物品を形成するステップが、不浸透性層（８）を有する物品と、前記不浸透性層に外側から配置された少なくとも１枚の層（７）とを形成することを含む、請求項３６に記載の方法。
【請求項３８】
前記の少なくとも１枚の層（７）が発泡層および織物層、特に不織布の１つを含む、請求項３７に記載の方法。
【請求項３９】
端部を密封する前記ステップの後に、製品（２）を前記包装の中に加えるステップをさらに含む、請求項３６に記載の方法。
【請求項４０】
前記製品（２）が液体からペースト状までの製品である、請求項３９に記載の方法。
【請求項４１】
前記製品（２）が化粧用製品である、請求項４０に記載の方法。
【請求項４２】
ｉ）製品塗布具（３）と、
ｉｉ）前記製品塗布具を囲む包装（１）と、
ｉｉｉ）前記製品塗布具によって塗布しようとする製品（２）であって、前記包装（１）の内部に入れられ、製品塗布具（３）と接触している製品（２）と、
ｉｖ）前記包装を閉鎖し、製品塗布具（３）を前記包装（１）に固定する継ぎ目（５）であって、前記継ぎ目（５）の開放は前記包装を開放させ、製品塗布具（３）に接近して前記製品を塗布できるようにする、継ぎ目と
を含む、包装された物品。
【請求項４３】
前記製品（２）が化粧用製品である、請求項４２に記載の包装された物品。
【請求項４４】
前記製品（２）が乾燥状態および使用のために水の中で溶解される、請求項４２または４３に記載の包装された物品。
【請求項４５】
前記製品（２）が濃縮された形で置かれ、使用のために水で稀釈される、請求項４２または４３に記載の包装された物品。
【請求項４６】
前記製品（２）が界面活性剤を含む、請求項４２または４３に記載の包装された物品。
【請求項４７】
前記製品塗布具（３）が塗布パッドであるかまたは不織布を含む、請求項４２から４６までのいずれか一項に記載の包装された物品。
【請求項４８】
前記製品塗布具（３）が使用者の外肢を受け入れるための空洞（６）を有する、請求項４２から４７までのいずれか一項に記載の包装された物品。
【請求項４９】
前記継ぎ目（５）が前記包装（１）と前記空洞（６）の両方を閉鎖し、前記継ぎ目（５）の開放が前記空洞を開放する、請求項４８に記載の包装された物品。
【請求項５０】
前記継ぎ目（５）を開放した後に前記製品塗布具（３）が前記包装（１）に固定されたままになるように、また前記継ぎ目を開放した後に力を加えることによって前記製品塗布具（３）を前記包装（１）から緩めることができるように、前記製品塗布具（３）が前記包装（１）に少なくとも１つの位置（１２）で固定されている、請求項４２から４９までのいずれか一項に記載の包装された物品。
【発明の詳細な説明】
【技術分野】
【０００１】
本発明は、包装された製品塗布具またはパーソナルケア用具であって、使用者は製品を塗布具で塗布または使用することができるが、使用者の外肢（例えば手または指など）の皮膚への製品の接触が避けられるように、塗布具または用具が使用者の外肢を受け入れることができるような、包装された製品塗布具またはパーソナルケア用具に関する。
【背景技術】
【０００２】
日本国の実用新案出願公開番号、実開平６−８８２３（１９９４）に開示されているように、塗布具は粉おしろいまたは化粧液を塗布する場合に使用するために周知であり、塗布具は樹脂フィルムの貯蔵袋の中に入っている。貯蔵袋の中に塗布具を貯蔵することは、塗布具への細菌の伝播または汚染物の接近を防止するために望ましいと言える。しかしながら従来の配置は、液体化粧品などの液体製品を使用または塗布するためには特に問題があり得る。それは、袋または包装物から塗布具を除去するのに応じて過剰の液によって、化粧液が使用者の手、指、または衣服に接触するという望ましくない可能性があるからである。一方、塗布具が少ない量の液によって含浸される場合には、不十分な製品塗布という結果になる。
【発明の開示】
【発明が解決しようとする課題】
【０００３】
本発明の目的は、上述の問題点を回避することができる包装された塗布具を提供することである。好ましい形態では、本発明は、液体製品または粉体製品を塗布するために利用することができる塗布具を含む。使用者が自分の外肢を空洞の中に挿入することによって塗布具を保持することができるように、塗布具が使用者の外肢を受け入れる空洞を含むことが好ましい。塗布すべき製品を、塗布具と包装の残り部分との間の領域における包装の中に配置することができ、および／もしくは製品を、塗布具に十分に製品を与えるかまたは含浸できるように、塗布具の外部で含浸させることができる。本発明は特に液体製品の塗布に有利である。そのわけは、実質的な量の液体を包装された塗布具に合わせることができるからである。しかし液体は塗布具の空洞から隔離されて維持されるので、製品も、製品を塗布するために利用される外肢（例えば、指または手）から隔離している。したがって、塗布具に製品が染みこんでいる場合でも、または過剰の製品が包装の中に存在する場合でも、製品を使用者の外肢から隔離することができる。本発明は、包装された物品または塗布具が使用者の外肢を受け入れるように構成されている場合に特に好ましいが、本発明をパッド式塗布具またはワイプ式塗布具などの、他の塗布具のために利用することもできる。
【課題を解決するための手段】
【０００４】
特に好ましい形態では、包装を閉鎖する継ぎ目はまた塗布具の空洞も閉鎖し、したがって包装の開放に応じて、塗布具または物品の空洞の中への開口部も形成される。この結果、塗布具の空洞の内部は、包装の中に配置された製品から隔離される。さらに、いったん包装が開放されると、使用者は、指または手を塗布具の空洞の中に挿入して塗布具を使用することができる。さらに別の随意の態様では、包装を開放した後に塗布具が包装の１つまたは複数の側壁に部分的に取り付けられたままになるように、塗布具を包装の１つまたは複数の側壁に部分的に取り付けることができる。この特色によって、包装を開放した後、包装の側璧の相互分離が塗布具空洞の開口部を広げて、使用者が外肢を塗布具の中にさらに容易に挿入できるようになる。使用者が自分の外肢を塗布具の中に挿入した後に、包装への塗布具の固定を破ることができ、使用者が塗布具を包装から難なく取り外すことができるように、この固定または取り付けを容易に破ることができることが好ましい。塗布具が使用者の外肢を受け入れていない場合でも（例えば、パッド式塗布具またはワイプ式塗布具によって）、塗布具の包装への結合は、包装の開放に応じて塗布具を容易に位置付ける助けになる。
【０００５】
本発明の塗布具は、広範囲のさまざまな製品を塗布するために利用することができる。例えば塗布具を、ファンデーションまたはその他のメーキャップ用品を含むさまざまな化粧品、スキンまたはヘアコンディショナ、毛染め剤などのその他の毛髪用品、ハイライトまたはパーマ用品、芳香剤、香水、またはオーデコロン、サンレス日焼け用品または日焼け止め剤などのスキン日焼け用品、メーキャップ剥離剤、しわ止め用品、ビタミン、ざ瘡かくし用品、香気剤、防腐剤、抗菌剤、医薬品、治療用品または応急用品、皮膚用の美白または漂白剤、界面活性剤またはその他の清浄用品、マニキュア液やマニキュア液除去剤などのネールケア用品といったパーソナルケア用品を塗布するために利用することができる。しかし、本発明の包装された物品は多くの追加の用途を持ち得ることを理解されたい。例えばこの物品を、さまざまな家庭内の表面を磨き、清掃し、または除塵するための家庭用掃除物品として利用することができる。この物品はまた、自動車内部の表面を清浄化したり、磨いたり、この表面に保護剤製品を塗布するなどの自動車の手入れに、または鉄道、航空、船舶の分野におけるさまざまな表面の清浄化／維持などの他の輸送適用分野に利用することもできる。この物品はまた、靴の清掃／磨きまたは衣類の清浄化のためなどの服装用に利用することもできる。
【０００６】
本発明は、包装された塗布具を提供するために特に有利であるが、本発明はその他の包装物品を提供することもできる。例えば、包装の内部に置かれた物品は、熱発生物質が物品に付属しているか、または包装内部の包装と物品外部表面との間に配置されているパーソナルケア物品として利用することができる。具体的には、酸素にさらされた場合に熱を発生することが知られている組成物を備えることができ、包装を開放すると、熱発生物質は空気にさらされて熱が発生し、物品と物品の空洞内に入っている外肢を暖かくする。熱の発生は、物品が物品によって塗布または使用されている製品を暖めるための製品塗布具である場合には、望ましいものとなり得る。代替案として、熱の発生は、物品の中に挿入された外肢を暖めるためには、それ自体望ましいものとなり得る。例えば物品を、手を受け入れるための手袋またはミットとして、または足を受け入れるためのソックス状の物品として形状化することができ、したがって熱発生物質は、物品の空洞の中に挿入すると手または足を暖める。ほとんどの適用例では、物品は、包装を開放した後に塗布具として使用するために包装から取り出されることになる。製品塗布具として利用されない物品が暖かくなる場合には、包装から物品を分離することなく物品を利用することができる。したがって、包装された物品を開放して、外肢を空洞の中に挿入できるように物品の空洞を開けることができる。同時に、物品と包装壁との間の領域へ空気が入り、これは発熱物質へ酸素を流入させ、こうして、物品の空洞の中に挿入された外肢は暖められる。外部包装に固定され維持された物品では、包装は物品と発熱物質との周りに囲いを提供し、熱発生物質を保持することに役立ち、包装に応じてさらなる断熱のために発生した熱を保留する。代替案として、物品自体が、発熱物質の不注意の逸出（または発熱物質への湿気またはその他汚染物質の不注意の混入）を防止する外部層を有することができ、物品を使用のために外部包装から分離することができる。
【０００７】
塗布具または物品を入れた包装はさまざまな形を有することができる。包装が包装の中に含まれる製品または物質の長期貯蔵を可能にすることは好ましい。一つの好ましい形では、物品は袋または包みであり、弾力的なまたは柔軟な気密材料で形成されている。このような材料としては、ポリエチレン、ポリプロピレン、ポリ塩化ビニル、ポリエステル、ポリアミド、および／または（アルミニウム箔または薄膜、またはステンレス鋼の箔または薄膜などの）金属箔または金属薄膜を含むことができる。金属薄膜は、金属蒸着などのさまざまな方法によって形成することができる。包装は、単一の層もしくは同じまたは異なる材料の複数層から形成することができる。例として、包装は、ＰＥＴおよび／またはＰＥの層の間に挟まれたアルミニウムの箔または薄膜を含むことができる。上述のように、包装を開放した後に物品と共に維持しようとし、物品が保温器である場合には、包装はまたすぐれた断熱特性を有することが好ましい。容易に認識されるはずであるが、種々の材料および材料の組合せを外部包装のために利用することができる。
【０００８】
物品が包装を通じて見えるように、包装を透明にすることもできる。さらに別の代替案として、包装の選択された部分を透明にすることができ、例えば透明の窓を有するか、一方の側を透明にして他方の側を不透明にすることもできる。このような透明包装（または包装の透明部分）は美的に望ましく、さらにまた包装の使用において使用者を支援、例えば包装の正しい端部の開放を助けるため、および包装の物品内部に外肢を挿入するための正しい位置を確認するために望ましい。透明材料の使用はまた、物品を塗布具として使用している場合に、使用者が物品を外肢に取り付けた後、使用者が包装から製品を回収することを助けることもできる。透明な包装材料を利用する場合、「低放射薄膜」などの紫外線に耐性のある材料を含むことが望ましい。
【０００９】
物品／塗布具は、単一の指もしくは複数の指を受け入れるために適した形状などの、さまざまな形状または構成を有することができ、または物品を、使用者の手または足全体を受け入れるための形状にすることもできる。物品または塗布具は、複数枚の層から形成されて、少なくとも１枚の層が、物品の外側表面および／または包装の内部に配備される製品または物質に対して不浸透性であることが好ましい。さらに、物品が塗布具である場合には、好ましくは物品の外側表面は、塗布しようとする製品を保持するために適した材料で形成され、物品の外側表面もまた、製品を塗布しようとする皮膚またはその他の表面との接触に適している。例として、物品の外側表面は、さまざまな天然の材料および／または合成材料で形成された織布または不織布、発砲材料（天然または合成スポンジ状材料を含む）または上記のさまざまな組合せ（例えば、製品を保持するために備えられた発砲または吸収性層、および皮膚への接触に望ましい不織層またはその他の軟らかい層によって覆われた吸収性材料を伴う）などの、さまざまな材料を含むことができる。適当な材料の限定されない例として、綿、羊毛などの動物性繊維、レーヨン、ポリエステル、ポリアミド、ポリオレフィニック、またはアクリル材料がある。二層物品の好ましい形では、物品は外層のためには不織材料、内層としては不浸透性層を含む。不浸透性層を、１枚または複数枚の外層に接合された個別の薄膜層、または１枚または複数枚の外層上のコーティングとして備えることができる。個別の不浸透性層の使用は望ましいが、これは、塗布される製品の接触が製品を塗布するために利用される外肢の皮膚に対して攻撃的ではない場合（例えば粉体製品またはタルク状製品）、または製品が塗布具の１枚または複数枚の外層を容易に貫通しない場合は必要ではなく、すべての適用に必要というわけではない。不浸透性層が含まれる場合には、さらにまた、物品の内側表面が皮膚との接触にもっと快適になるように不浸透性層内部にさらに１枚の層を備えることが望ましいといえる。特に、（樹脂層またはコーティングなどの）不浸透性層は、物品の中に挿入される外肢の皮膚に接触するときに不快になり、発汗またはその他の湿気は、使用した後に物品を外肢から取り外すことを困難にする。したがって、物品の空洞の中に挿入される外肢の皮膚と接触する、より望ましい物品の最内部面のために、層を選択することができる。この第３または最内部層は、さまざまな天然または合成の織物または編物材料を含むことができる。代替案として、不浸透性層が最内部層である場合には、粉体またはタルクを空洞の内側に備えて、外肢が物品の内側表面にくっつくことを防止することができる。
【００１０】
本発明による（袋／包装の内部に満たされた、または物品または塗布具に含浸した）物品によって提供される製品の量は、製品、製品が塗布される表面の形式、ならびに製品が塗布される表面の面積に応じて、広範囲に変わることができる。物品が塗布具として利用される場合には、比較的広い範囲の製品量を準備することができる。例えば、製品が物品から決して滴下しないようにすることが望ましい場合には、製品の１つまたは複数の外側塗布層が過度に飽和しないように、製品の量を選択することができる。しかし望みに応じて、使用者が塗布具を包装の中に戻して反復含浸し塗布具に再び製品を補充することができるように、製品を塗布具の飽和レベルを超える量だけ提供することもできる。ある特定の適用では、製品の量を、例えば塗布される製品が芳香剤である場合には、全く少量の実質的に塗布具の飽和レベル以下にする。
【００１１】
例えば、製品含浸のパーセンテージは１０％から１０００％まで、好ましくは１００％から６００％まで変化することができる。
【００１２】
本発明は、液体製品を塗布するときに使用するために特に望ましいが、粉おしろいや固形製品などの乾燥製品も塗布することができ、塗布される製品をペースト状／半固形製品にすることができる。さらに、製品を、使用中は液体または発泡材料であるが使用前は乾燥形態として（または濃縮液体として）存在するものにすることもできる。例えば、塗布される製品は、乾燥形態で包装の中に存在する発泡界面活性剤などの、清浄化製品を含むことができる。いったん使用者の外肢が物品／塗布具の空洞の中に挿入されて物品が除去されると、包装は可搬式のリザーバまたはシンクを準備することができ、このリザーバまたはシンクの中に水を加えて界面活性剤（または乾燥形態または濃縮形態で準備されるその他の製品）を活性化または溶解することができる。水を加えた後、使用者は物品を包装の中に浸すことができ、次に物品を利用して正面またはその他の表面の清浄化に移ることができる。物品が多層物品である場合には、物品の外側表面層を界面活性剤による洗浄のため（または他の製品を塗布するため）に利用することができ、製品の使用が完了した場合には、物品の内側表面層を乾燥またはその他の仕上げ／磨き作業のために利用することができるように、物品を裏返して内側を出すことができる。この形式の作業によって、物品の内層と外層とを隔離するために、不浸透性層を備えることもできる。さらに別の代替案では、物品を包装からの除去に応じて直接使用することができるように、しかし例えば界面活性剤の発泡を強化するためまたは清浄化を延ばすために追加の水を任意に加えることができるように、物品は水および界面活性剤（またはその他の製品）を含む湿潤な外層を有することができる。
【００１３】
容易に明らかであるように、本発明の包装された物品は用途および適用の広範囲の変形を提供する。
【００１４】
本発明のさらなる態様によれば、包装された物品を製造するための有利な工程／方法が、本明細書にさらに詳しい説明が提供される。
【００１５】
本発明の上記および追加の目的および利点は、本明細書における詳細な説明から、特に図面を参照して考察するときに容易に理解されよう。
【発明を実施するための最良の形態】
【００１６】
図１は、物品３が包装１の中に配備された、本発明による例示的な第１実施形態を示す。図１に示すように、物品３は比較的簡単な形を有することができ、１本または複数本の指を受け入れるために、または使用者の手（または使用者の足など他の外肢）の全体を受け入れるために寸法決めされて構成することができる。包装１は、図示するように囲いまたは袋状包装などのさまざまな形を有することができる。包装の中には、物品３に着けようとする製品２が配置されている。先に示したように、製品２は、化粧品やその他のパーソナルケアなど広範囲の物質を含むことができ、または製品は、他の清掃、磨き、またはその他の家庭的または商業的ケア／維持の雑用に適している。包装の中に準備された製品２の量は、製品および製品を塗布しようとする表面の面積に応じて異なることが可能である。
【００１７】
包装１を比較的平坦な囲い形式の包装として示しているが、さまざまな外形構成が可能であり、例えば包装にひだをつけるか、またはさまざまなＶ、Ｗ、またはじゃばら状折り目を含め、したがって包装が拡張可能で、使用時により安定した包装を提供する。これらの形式の拡張可能な、またはより安定した構成は、例えば大量の製品を入れる必要があり、塗布具を頻繁に包装の中に浸す必要がある場合には望ましい。このような拡張可能な包装はまた、製品が乾燥または濃縮液体形状で存在し、包装を開放して物品／塗布具３を取り出した後に濡らされるか溶解される場合にはやはり望ましい。先に検討したように、この配置によって、乾燥製品２は袋に備えられ、袋は（図１に示す位置と比較して）反転され、物品が取り出すことができるように包装を開放する。次に包装に水を加えて製品を濡らすかまたは溶解する。次に物品または塗布具３を濡らす、または溶解した製品に浸して、皮膚、髪、またはその他の表面に塗布することができる。このような動作は、例えば、包装壁と物品３の外側表面７との間の領域に存在する発泡界面活性剤またはその他の清浄化製品などの、乾燥または濃縮された界面活性剤によって清浄化するために物品を利用する場合には望ましい。
【００１８】
物品３を取り巻く包装の領域内にある製品２示しているが、代りに、または追加的に、例えば包装の中に挿入する前に物品を製品によって含浸することによって、または物品の層の間に製品を挟むことによって、製品を物品に付着させることができることも理解されたい。上記のさまざまな組合せも可能である。例えば、物品の層７、８の間に乾燥製品を挟むことができ、取り囲む周囲の包装内に他の製品または水／湿気を加えることができる。
【００１９】
図１に示すように、包装１と物品３の空洞６の両方を閉じる共通の継ぎ目またはシールが設けられている。この結果、包装１の中に設けられた（および／または物品３の１枚または複数枚の外層に含浸された）製品２は物品の空洞６の中には入らない。この結果、包装の開放に応じて、物品内の空洞６は開放され、使用者は製品に接触することなく外肢を空洞６の中に挿入することができる。引き裂き線４がシール５に沿って設けられ、包装からシール５を引き裂く助けをする。この引き裂き線を、例えば刻み目またはミシン目を利用することによって弱め線として設けることができ、この刻み目またはミシン目は包装された物品を通じて単に部分的に延び、これによって引き裂き線に沿って包装を弱める（しかし引き裂きを望むまでは引き裂き線を通じて完全には延長しない）。先に示したように、物品の外側表面７は、製品を皮膚またはその他の表面に塗布するために適切な１枚または複数枚の層によって形成することができる。
【００２０】
好ましい形では、外側表面は不織布層であるが、その他のさまざまな織布または発泡材料を先に検討したように使用することができる。また複数の層を層８の外側に設けて、例えば製品を保持する能力のために備えられた発泡またはそれ以上の吸収性を有する層を伴う、および不織布またはその他の織布などの皮膚（または製品を塗布しようとするその他の表面）に接触するために非常に適した層によって覆われた吸収性層を伴う、塗布具層７を形成することができる。
【００２１】
１枚または複数枚の外層７の内側に、不浸透性層８を設けて、１枚または複数枚の層７から空洞６への製品２の通過を防ぐことが好ましい。しかし、先に注目したように、不透過性層をあらゆる場合、例えば塗布される製品が容易に１枚または複数枚の層７を貫通せず、および／または空洞６の中に挿入される外肢の皮膚に接触するために支障のない場合には、備える必要はない。ある製品が物品を貫通して空洞６の中に入ることができる場合でも（例えば、製品の外肢の皮膚への接触に支障がない場合）、空洞６を包装の内部の残り部分から隔離するための共通の継ぎ目の使用は、製品２の大部分が空洞６の外側に維持されるので望ましく、したがって、物品の空洞の中に移ることのできる量の点から、製品の無駄が少なくなる。製品２の空洞６への貫通を防止する１枚または複数枚の層の使用は、製品が染料、サンレス日焼け剤、またはざらざらした清掃合成品である場合などの、製品と皮膚との接触に支障がある場合には、特に重要である。先に注目したように、不浸透性層８を設けた場合には、層を、合成樹脂材料などのさまざまな材料の個別薄膜として塗布することができ、または不浸透性層８を１枚または複数枚の層７の内側表面上に付着したコーティングとして設けることができる。
【００２２】
図１に点線で示すように、さらに別の１枚または複数枚の層９が設けられて、物品３の最内部層または表面を形成する。この層９は、湿潤な場合には特に、不浸透性層は粘着性または不快になり得るので、使用者の皮膚が不浸透性層８と接触しないようになっていることが望ましい。さらに、外肢の皮膚が不浸透性層８に粘着した場合には、使用者の外肢から物品を除去することはさらに困難になり得る。したがって、例えば天然または合成織布または織物材料、もしくは発泡材料で形成された追加層９を、不浸透性層８の内側に設けることができる。先に注目したように、この追加層も、例えば物品を清浄化のための界面活性剤を塗布するために利用する場合には望ましい。この配置によって、１枚または複数枚の層７の外側表面を洗浄または清掃に利用した後に、物品を裏返して内側を出すことができ、最内層または表面９を乾燥または拭きとりに利用することができる。
【００２３】
任意の、しかし好ましい形によれば、引き裂き継ぎ目４が、継ぎ目５の縁部（図１における包装された物品の配置方向に関して最頂縁部）から僅かに離隔していることが好ましい。この配置によって、継ぎ目５が引き裂かれた後も、継ぎ目の一部分が残るので、物品は包装１の１つまたは複数の壁に取り付けられたままであるが、継ぎ目のこの残存部分は物品３の空洞６を密封せず、したがって使用者は外肢を空洞６の中に挿入することができる。この配置は、使用者が自分の外肢を空洞６の中に挿入する前に物品が包装の中に落ちることを防止するために望ましい。さらに、物品を包装に部分的に残して固定することは、使用者は包装壁を互いに分離させることによって、包装壁を互いに分離させて物品の空洞の中への挿入をさらに便利にすることができる。いったん使用者が空洞６の中へ自分の外肢を挿入すると、使用者は物品を押し続けることができ、および／または使用者は自分の外肢を僅かに回転させて、物品を包装から取り出すことができ、次に包装を除去することができる。継ぎ目５に沿って弱い部分を設けることに加えて、またはその代替案として、引き裂き線を設けるためのさまざまな便法を利用できることを理解されたい。このような便法には、引き裂きストリップまたは引き裂き糸、またはその他の方便の使用を含む。代替案として、使用者は継ぎ目に沿って鋏で単に切ることもできる。
【００２４】
さらに別の代替案として、ある例では、包装された物品３を開放した後も、物品３を包装に固定したまま維持することが望ましい。例えば、物品を保温装置として利用しようとする場合には、熱発生物質２を包装内における物品３の外側の包装領域に設けることができる。引き裂き線および継ぎ目は、包装の開放に応じて熱発生物質が酸素に曝されることによって熱が発生するように、配置される。次に、使用者は空洞６の中に外肢を挿入して外肢を暖めることができる。この例では包装を物品の周りに保持して、熱発生物質との不注意の接触を防止すること、および／または物品３の周りの追加断熱を助けることができる。熱発生物質は本来それ自体知られているものである。例として、鉄を含む物質（またはその他の金属／合金、特に粉状）が、鉄（またはその他の金属）は酸化するので、空気または酸素に曝されることによって熱を発生することで知られている。この種のさまざまな形式の物質を、酸化反応の速度を制御または加速することによって熱発生量を制御するために、考案することができる。鉄またはその他の金属に加えて、このような物質は、（活性炭素などの）炭素、バーミキュライトまたは塩、および水を含むことができる。例としては、特許文献ＥＰ１２２９０９７Ａ１（これは本明細書に参照によって組み込まれている）に開示されているように、熱発生物質は長年知られており、活性炭素やバーミキュライトなどの物質は、これらが発熱反応によってもたらされる熱または温度を維持／制御できるように、水を加える場合に使用するためによく知られている。これらの物質は周知であるが、この種の熱発生物質は、本発明による包装された物品において既に利用されている。水と混ぜるか水を加えたときに熱を発生するその他の熱発生物質を使用することもでき、例えば酸性無水物および塩基性無水物（またはこれらの塩）、または水と共に混合されると熱を発生する五酸化燐および酸化カルシウムの組合せがある。水と混合されると熱を発生することのできる物質の別の例としては、ゼオライト、およびエチレングリコールやプロピレングリコールなどの無水多価アルコールがある。この場合には、包装を開放した後に包装に水を加えることができ、または使用したいときに（例えば、包装の表面を通じて圧力を加えることによって）破られるカプセルまたはマイクロカプセルの中に水を置くことができる。熱発生物質を利用する場合には、物質が包装から容易に逸出できないように追加の手段を備えることが好ましい。例えば、物質を包装の層の間および／または層と物品との間に保持することができ、こうして、包装を開放することによって、熱発生物質は酸素に曝される（または密封された水などの水によって濡らすことができる）が、熱発生物質は包装から自由に流出することはできない。
【００２５】
図２は、図１に示すものと同様な配置を示しているが、物品の形状は異なっている。図２の配置では、物品は１つの親指延長部３ａを有するミットの形を呈している。図１の配置によるように、物品は包装１の内部であるが空洞６の外側の領域に製品２を含むことができ、共通の継ぎ目５を包装１と物品３の空洞６の両方を閉鎖するために利用することができる。引き裂き線または分離可能構造４を先に検討したように、継ぎ目の開放のため、およびしたがって包装と空洞とを開放するために利用することができる。物品または塗布具３は、製品２の吸収および／または塗布の観点から望ましい１枚または複数枚の外層７を含むことができる。さらにまた物品は、不浸透性層８、また望む場合には、手の皮膚に接触するのに最も適した、および／または製品２を塗布した後に乾燥／仕上げ動作のために利用することができる１枚または複数枚の内層を含むことができる。
【００２６】
図３はさらに別の構成を示しており、物品３は手袋の形をなしている。手袋状の物品は、さまざまな区域に製品を塗布する場合にさらによく制御できる点で望ましいものになり得る。また手袋状の物品は、例えば製品が乾燥状態または濃縮状態であって、製品を使用するために包装を開放した後に水を加えることになっているとき、物品をさらに物品内で製品を混合するために利用しようとする場合に望ましいものになり得る。手袋状の物品は、包装内でのこのような製品のよりすぐれた攪拌を、したがって混合または発泡を提供することができる。先に検討したように、さまざまな形状をとることもできる。例えば、物品をソックス状の物品に形状化することもできる。
【００２７】
本発明のさらに別の変形例によれば、物品は、使用する外肢を受け入れるための空洞を持たない塗布具にすることもできる。例えば物品を、包装の中に配置および／または物品の中で含浸された製品を塗布または使用するための、パッドまたは拭き塗布具にすることもでき、この物品は本明細書において検討した外肢を受け入れる物品と共に検討したように、包装に結合されている。この配置によって、塗布具は包装の継ぎ目または閉鎖部に結合されているので、包装の開放に応じて、より容易に塗布具を包装に位置付けることができ、また包装から取り出すことができる。さらに、物品が包装の中で「一団になる」ことを防ぐことができるので、塗布具の外観をよりよく維持することができる。
【００２８】
図４は、本発明による包装された物品または包装された塗布具を断面図で示す。先に検討したように、また図４に示すように、シールまたは継ぎ目５は、包装のみならず物品／塗布具３の空洞６も閉鎖する。さらに、引き裂き線４が設けられているので、継ぎ目５に沿って引き裂くのに応じて、包装が開放されるのみならず物品３への空洞も開放される。継ぎ目は、接着ボンド、超音波溶接、熱、縫い目など、またはこれらの組合せを含む、さまざまな方法によって形成することができる。同様に、包装の周囲および物品の周囲を完成するさまざまなシールまたは継ぎ目も、熱または超音波溶接、接着剤、縫い目などのさまざまな方法によって形成することができる。また、包装または物品のある縁部を、追加のシールまたは継ぎ目を必要とすることなく、物品または包装を形成する材料を折り曲げることによって形成することもできる。先に注目したように、引き裂き位置４を、包装の引き裂き開放に応じて物品が包装に固定されたままであるが、継ぎ目または継ぎ目５の一部分の除去が包装および物品３の空洞６を開放するような位置に、設けることができる。これは、継ぎ目５の縁部に、すなわち物品の外表面が包装の内側表面に固定されるように熱またはその他の封止方策が十分である位置に、引き裂き線４を正しく位置付けることによって達成されるが、物品の内側表面は共に固定されない。代替案として、この結果は、継ぎ目形成装置（または継ぎ目形成装置の選択された部分）のエネルギーまたは温度を制御することによって、または物品の内側表面が共に固定されないが、物品の外側表面は包装の内側表面に少なくとも部分的に固定されるように、材料を物品の内側表面における引き裂き線４の領域に材料を設けることによって、達成することができる。この概念のさらに別の例を、図５を参照して以下に検討する。前述の実施形態を参照して検討したように、物品３は、物品が塗布具であって好ましくは１枚または複数枚の外層７の内側に追加の不浸透性の層８が設けられている場合に、製品を保持および塗布するために最もよく適した材料で形成されることが好ましい１枚または複数枚の外層７を有することができる。やはり先に検討したように、層８の内側に１枚または複数枚の追加層を設けることができる。
【００２９】
包装１は、樹脂および／もしくは金属の薄膜または箔から成る１枚または複数枚の層で形成することができる。望むならば、追加の織布または織物またはラベル層を包装１の外部に設けることもできる。また、包装１を不透明にすることもでき、または先に検討したように部分的または全体的に透明にすることもできる。包装１が部分的または全体的に透明な場合には、紫外線を防いで製品の劣化を防止する透明薄膜を選択することが望ましいといえる。
【００３０】
図５は、本発明のさらなる実施例を示す。図５の実施形態では、物品または塗布具３は概略的に示されているが、先に検討したように、物品３の構成はさまざまな形を持つことができる。図５の実施形態では、１つまたは複数の切込み１０が包装の縁部に設けられて、引き裂き線に沿って包装の端部から継ぎ目５を引き裂く助けとなり、これによって包装を開放して物品３の空洞６も開放する。切込み１０は引き裂き線を画定することができ、この引き裂き線に沿って包装の端部は引き裂かれて離れ、このような切込みは追加の弱化部を伴って、または伴わずに、例えば、引き裂き線４を参照して先に検討したように、刻み目付けまたはその他の引き裂き支援便法によって、使用することができる。図５に示すように、追加のシール部分１２が継ぎ目５から延び、こうして、継ぎ目５が引き裂かれて離されると、物品の一部分は包装１に結合したままで、それでも包装と空洞６への開口部とは開放される。この配置は、物品３を適所に保持し、包装の開放に応じて物品が包装１の中に落ちることを防止することの助けになる。さらにこの配置は、使用者が自分の外肢を空洞６の中に挿入することを助けることができる。特に、包装１の壁に固定された物品３の一部分を留めることによって、使用者は、包装の壁を分離しこれによって物品の内壁を互いに分離することもでき、こうして使用者は自分の外肢を物品３の空洞６の中にさらに容易に挿入することができる。いったん外肢が挿入されると、使用者は外肢を押し続けることができ、または使用者は外肢を回転させて物品を包装から分離することができる。先に検討したように、さまざまな密封法を、包装と物品３を閉じるために、または包装１の選択された位置に物品３を取り付けて、包装の開放後に包装を内壁に固定したままにするために、利用することができる。また、さまざまなシールまたは継ぎ目便法を、包装および物品の縁部を留めるために利用することができる。
【００３１】
図６は、本発明による包装された物品を形成するための方法を示す。図示するように、物品を、供給ロール２０から繰り出されることができる１枚または複数枚の外層を形成する材料で形成することができる。図６では外層７は単層として表されているが、先に検討したように、外層を複数の層またはプライで形成することもできる。物品が製品塗布具である場合には、この外層７は、製品を塗布しようとする皮膚またはその他の表面に製品を保持して塗布するために適していることが好ましい。物品の外側部分が複数の層を含む場合には、これらの層を、ロール２０上に多重プライ基体として貯蔵することができ、または順次一列に互いにつなぐことができる。２２で示すように追加のロールが、包装内の製品が物品の空洞６に入らないように不浸透性層８などのさらに別の層を繰り出すことができる。層８を基体または薄膜の形で示したが、先に検討したように、不浸透性層を１枚または複数枚の層７の上に当てられるコーティングとして付着させることもできる。不浸透性層が個別の巻取り材料である場合には、これをさまざまな方便によって層７の上に結合することができる。例えば、ホットメルト接着剤を、巻取り材料８が巻取り材料７の上に重ねられる個所から上流側で、基体巻取り材料７に塗布することができ、こうして巻取り材料８を巻取り材料７の上に重ねてこれと接触した状態で押圧すると、これらの層は共に結合される。代替案として、液体または乾燥式の接着剤を、巻取り材料８が巻取り材料７の上に重ねられる個所から下流側で、基体巻取り材料７に塗布して、接着剤を活性化して共に結合することができる。さらに別の代替案として、基体７および８がエネルギーの付加によって共に接着するのに適した材料である場合には、追加の接着剤を使用することなく、熱、超音波溶接、またはその他の適当な手段によって基体を結合することができる。
【００３２】
巻取り材料７、８を互いに接合した後に、これらを折り曲げ、図示の実施形態では２４で示されている。この折り曲げ動作は部分的に物品内部の空洞６を画定し、空洞は残りの継ぎ目を形成することによって、例えば２６で示すように加熱された型またはその他の方便（例えば、縫い合わせ、超音波溶接など）によって完成される。２４に示すような折り曲げの代替案として、１枚または複数枚の追加層を層８の上に重ねることができることも理解されたい。折り曲げの代わりに追加の層を使用することは、例えば片側の外表面が他方の側とは異なる性質を有する物品を形成することが好ましい場合には、好ましいと言える。例えば、物品が製品を皮膚に塗布するため、またはスキンケアのために利用される場合には、使用者が最も快適な表面粗度を選択できるように、さまざまな粗度の表面を物品の異なる側に備えることができる。こうして、組合せ層７、８の折り曲げの代替案として、追加の層を層８の上に重ねることができ、次に空洞６を画定するために物品の周辺の周りに継ぎ目が形成される。
【００３３】
物品の輪郭／周辺が形成された後、２８において示すように余剰の材料を除去して、３０において示すように、使用者の外肢を受け入れるために適する別々に形成された物品が得られる。
【００３４】
３２において示すように、さらに別の供給ロール３２が外側包装を形成するために設けられている。先に注目したように、包装を、さまざまな樹脂、箔、薄膜、およびこれらの組合せを含むさまざまな単一または複数の層／多重プライ材料で形成することができる。例示として図示された実施形態では、包装を形成することになる基体は、頂部で開くように（３３で概略的に示すように）上向きに折り曲げられ、次いで形成された物品を図示するように折り曲げられた巻取り材料の開いた頂部に挿入することができる。次に３４において示すようにシールを底部に（折り目に沿って）形成し、包装の底部とさらにまた物品の（図６の配置方向に対して）底部の両方を密封することができる。先に検討したように、この底部シールを開放することによって、包装と物品の両方が開放される。
【００３５】
次に３６に示すように側部継ぎ目を形成し、こうして包装の側部継ぎ目を形成し、また包装を互いに分離する。したがって、物品／塗布具によって塗布しようとする製品を３８で示すように包装の中に置くことができ、これに続いて４０で示すように包装の頂部を密封する。さらに、４２で示すように引き裂き線を弱化させるための切込みまたはその他の構成を設けることができる。その後、包装された物品を互いに分離し、４４で示すようにあらゆる廃材料を１つまたは複数の切削動作によって除去することができる。先に検討したように、包装された物品の底部継ぎ目の除去を容易にして包装と物品の空洞との両方を開放するために、さまざまな方便を設けることができる。側部継ぎ目を形成する場合に、または底部継ぎ目を形成する場合に、または個別位置において、包装の底部継ぎ目が除去されて包装と物品の空洞とを開放した後でも物品の包装への部分的固定が残るように、物品を包装にある位置で固定するように、適当なシールまたは留めを随意に設けることができる。これは、例えば図５に示すようにある輪郭を提供する密封装置を利用することによって底部シールを形成するときに、達成することができる。
【００３６】
前述の内容から明らかなように、本発明はさまざまな広範囲の用途を有する包装された塗布具またはその他の物品を提供する。下記の実施例は、本発明の範囲に関して限定するものと解釈されるべきではなく、本発明の実施例のさらなる説明を意図するものである。
【実施例１】
【００３７】
ポリエチレン薄膜の積層およびレーヨンの不織布を使用して、図１に示すような袋形状の塗布具を作った。次に塗布具を、（蒸着された）アルミニウムの内面を有するポリプロピレン薄膜を含む積層薄膜と組み合わせた。塗布具を図１に示すように、日焼けローションまたはサンレス日焼けローションの形の製品と共に包装した。密封された袋および塗布具はすぐれた気密性（酸素バリア）と耐久性を有し、この結果、製品を長期にわたって貯蔵することができる。密封された袋の端部に設けられたＩ形切込みから開かれると、使用者は顔の手入れのために袋形状の塗布具の閉鎖空間に自分の手を挿入した。この物品は、日焼けローションのためにすぐれた塗布具能力を実証し、使用者の手または衣服を汚すことはなかった。
【実施例２】
【００３８】
実施例１と同様の方法によって、図２に示すような磨き液を入れた別の塗布具を作った。この塗布具を入れた密封袋は、磨き液を長期にわたって保存できるように、耐久性と酸素バリア特性においてすぐれていた。
【００３９】
密封された袋の端部に設けられたＩ形切込みから開かれると、使用者は塗布具の空間に自分の手を挿入して家具を磨くために使用した。この物品は、磨き液のためにすぐれた塗布具能力を実証し、使用者の手または衣服を汚すことはなかった。
【実施例３】
【００４０】
実施例１と同様の方法によって、図３に示すように、紫外線保護日焼け止めローションを有する包装の中に塗布具を形成した。密封された包装および塗布具は耐久性と酸素バリア特性においてすぐれており、液体ローションを長期にわたって保存することができた。
【００４１】
密封された袋の端部に設けられたＩ形切込みから包装を開いた。使用者は空洞の中に自分の手を挿入してローションを顔に塗布した。この物品はすぐれた塗布特性を有し、ローションが使用者の手または衣服に接触することを防止した。
【実施例４】
【００４２】
図２に示すような塗布具で、漂白成分を含む化粧液を伴う塗布具を形成した。密封された包装と塗布具は耐久性と酸素バリア特性においてすぐれており、液体を長期にわたって維持することができた。
【００４３】
Ｉ形切込みから包装を開いて、使用者は空洞の中に自分の手を挿入して物品を顔の手入れに使用した。この物品はすぐれた塗布特性を有し、ローションが使用者の手または衣服に接触することを防止した。
【００４４】
明らかに、上記の教示に照らして、本発明のさまざまな改訂および変更が可能である。したがって、添付の特許請求の範囲内で、本発明が特定して上に説明したもの以外として実現できることを理解されたい。
【図面の簡単な説明】
【００４５】
【図１】発明の第１実施形態を示す概略図である。
【図２】本発明による物品／塗布具の代替構成を示す図である。
【図３】本発明による物品／塗布具のさらに別の実施形態を示す図である。
【図４】本発明による包装された物品／塗布具の断面図である。
【図５】物品が開放後に包装に部分的に残るように、引き離し切れ目を備えて物品を配置した、本発明の変更された実施形態を示す図である。
【図６】本発明による包装された物品を製造するための方法を示す図である。
【図１】
2005511443.tif 000003
【図２】
2005511443.tif 000004
【図３】
2005511443.tif 000005
【図４】
2005511443.tif 000006
【図５】
2005511443.tif 000007
【図６】
2005511443.tif 000008
【国際調査報告】
2005511443.tif 000009
2005511443.tif 000010
2005511443.tif 000011